(57)【要約】    【課題】  記憶容量を有効に利用できるカメラシステム、カメラおよび外部記憶装置を提供する。    【解決手段】  被写体像が撮像されると、この被写体像の画像データを重複保存対象データとして、電子カメラ１００側およびストレージャ２００側の各装置で重複して格納する。重複保存対象データの容量は、設定された重複記憶容量を上限として管理される。重複保存対象データの容量が重複記憶容量を超えると、古い画像データから順に、電子カメラ１００側またはストレージャ２００側の少なくともいずれか一方の装置で格納する非重複保存対象データに変更される。一方の装置で、新たな画像データの格納に必要な空き容量がなくなると、非重複保存対象データのうち、他方の装置と重複して格納している画像データがあれば、一方の装置に格納された当該画像データを撮影日時の古いものから順に削除し、他方の装置に格納された当該画像データを保存して空き容量を確保する。【選択図】      図３
2007074213.tif 000002
【特許請求の範囲】
【請求項１】
カメラ本体に設けられた撮像素子と、
前記カメラ本体に設けられて
前記撮像素子で撮像された被写体像のデータを格納する第１記憶手段と、
前記第１記憶手段とは別に設けられて、
前記撮像素子で撮像されて転送された前記被写体像のデータを格納する第２記憶手段と、
複数の前記データのうち、
重複保存属性を有する重複保存対象データを、
前記第１記憶手段および前記第２記憶手段の記憶領域に重複して格納し、
非重複保存属性を有する非重複保存対象データを、
前記第１記憶手段または前記第２記憶手段の少なくともいずれか一方の記憶領域に、
重複を前提とすることなく格納する
ように制御するデータ制御手段と
を備えることを特徴とするカメラシステム。
【請求項２】
請求項１に記載のカメラシステムにおいて、
前記データ制御手段は、
前記撮像素子で、新たに被写体像が撮像されると、
前記第１記憶手段および前記第２記憶手段の各々の記憶領域に重複して格納されている
前記重複保存対象データのうち、
最も古いデータの保存属性を、前記重複保存属性から、前記非重複保存属性に変更し、
前記第１記憶手段および前記第２記憶手段の双方で前記非重複保存対象データとして
重複して格納している当該データを
前記第１記憶手段または前記第２記憶手段のいずれか一方から削除する
ように制御することを特徴とするカメラシステム。
【請求項３】
請求項１に記載のカメラシステムにおいて、
前記データが、
前記重複保存属性を有するデータとして、
前記第１記憶手段および前記第２記憶手段の各々の記憶領域内に重複して格納される重複記憶領域の容量をあらわす重複記憶容量を設定する
重複記憶容量設定手段をさらに備えることを特徴とするカメラシステム。
【請求項４】
請求項３に記載のカメラシステムにおいて、
前記データ制御手段は、
新たに撮像する被写体像のデータを、１つ格納するのに必要な最小必要空き容量が、
前記第１記憶手段および前記第２記憶手段の各々の前記重複記憶領域に確保されている間は、
前記被写体像が撮像されると、当該被写体像のデータを、
前記重複保存属性を有する重複保存対象データとして設定して、
前記第１記憶手段および前記第２記憶手段の各々の重複記憶領域に、重複して格納するように制御する
ことを特徴とするカメラシステム。
【請求項５】
請求項３に記載のカメラシステムにおいて、
前記データ制御手段は、
前記第１記憶手段および前記第２記憶手段の各々の前記重複記憶領域に、
新たに撮像する被写体像のデータを、１つ格納するのに必要な最小必要空き容量が、確保されなくなった後であっても、
前記第１記憶手段および前記第２記憶手段の各々の記憶領域内の、
前記重複記憶領域以外の領域からなる非重複記憶領域のいずれにも、
前記最小必要空き容量が確保されている場合には、
重複保存対象データとして設定されて、
前記第１記憶手段および前記第２記憶手段の各々の重複記憶領域に重複して格納された前記データのうち、最も古いデータのそれぞれを、
前記非重複保存属性を有する非重複保存対象データとして設定するとともに、
前記被写体像が撮像されると、当該被写体像のデータを、
前記重複保存属性を有する重複保存対象データとして設定して、
前記第１記憶手段および前記第２記憶手段の各々の重複記憶領域に、重複して格納するように制御する
ことを特徴とするカメラシステム。
【請求項６】
請求項３に記載のカメラシステムにおいて、
前記データ制御手段は、
「前記第１記憶手段および前記第２記憶手段の各々の重複記憶領域に、
新たに撮像する被写体像のデータを、１つ格納するのに必要な最小必要空き容量が確保できなくなり、かつ、
前記第１記憶手段または前記第２記憶手段の少なくとも一方の非重複記憶領域に
前記最小必要空き容量がなくなった」後であって、
「前記非重複保存対象データとして設定されている前記データのうち、
前記第１記憶手段および前記第２記憶手段に重複して保存されているデータがある」場合には、
（ａ）前記重複保存対象データとして設定されて、
前記第１記憶手段および前記第２記憶手段の各々の重複記憶領域に重複して格納された前記データのうち、最も古いデータのそれぞれを、
前記非重複保存属性を有する非重複保存対象データとして設定し、
（ｂ）前記非重複記憶領域に前記最小必要空き容量を確保することができなくなった記憶手段に、
非重複保存対象データとして格納されている前記データであって、
前記第１記憶手段および前記第２記憶手段の各々の非重複記憶領域に重複して格納された前記データのうち、
少なくとも１つのデータを削除して前記最小必要空き容量を確保し、
（ｃ）前記被写体像が撮像されると、当該被写体像のデータを、
前記重複保存属性を有する重複保存対象データとして設定して、
前記第１記憶手段および前記第２記憶手段の各々の重複記憶領域に、重複して格納するように制御する
ことを特徴とするカメラシステム。
【請求項７】
請求項３に記載のカメラシステムにおいて、
前記第１記憶手段および前記第２記憶手段の各々の重複記憶領域に
新たに撮像する被写体像のデータを、１つ格納するのに必要な最小必要空き容量を確保することができなくなり、かつ、
「前記非重複保存対象データとして設定されている前記データのうち、
前記第１記憶手段および前記第２記憶手段の非重複記憶領域に重複して格納される前記非重複保存対象データを、
前記第１記憶手段および前記第２記憶手段で重複しないように削除しても、
前記第１記憶手段または前記第２記憶手段の少なくともいずれか一方の
前記非重複記憶領域に前記最小必要空き容量を確保できなくなる」と、
前記撮像素子による撮像動作、または、前記第１記憶媒体および前記第２記憶媒体への記憶動作を
禁止する禁止手段をさらに備える
ことを特徴とするカメラシステム。
【請求項８】
請求項１に記載のカメラシステムにおいて、
前記被写体像のデータを、前記第１記憶手段および前記第２記憶手段の各々の記憶領域に
重複保存対象データとして、重複して格納しておく期間を指定する指定手段を有する
ことを特徴とするカメラシステム。
【請求項９】
請求項８に記載のカメラシステムにおいて、
前記データ制御手段は、
前記指定手段によって指定された期間内に入力された前記データを、当該期間内に限り、
前記重複保存対象データとして格納する
ことを特徴とするカメラシステム。
【請求項１０】
請求項８に記載のカメラシステムにおいて、
前記指定手段は、
前記撮像素子によって撮像された被写体像のデータを、
前記重複保存対象データとして、当該撮像時からの重複して格納する期間を指定する
ことを特徴とするカメラシステム。
【請求項１１】
請求項８に記載のカメラシステムにおいて、
前記データ制御手段は、
新たに撮像する被写体像のデータを、１つ格納するのに必要な最小必要空き容量が、
前記第１記憶手段および前記第２記憶手段の各々の記憶領域に確保されている間は、
前記被写体像が撮像されると、当該被写体像のデータを、
前記重複保存属性を有する重複保存対象データとして設定して、
前記第１記憶手段および前記第２記憶手段の各々の記憶領域に、重複して格納するように制御する
ことを特徴とするカメラシステム。
【請求項１２】
請求項８に記載のカメラシステムにおいて、
前記重複保存対象データが、
前記第１記憶手段または前記第２記憶手段のいずれか一方の記憶手段の記憶領域に、
前記最小必要空き容量未満の空き容量となるまで格納されるか、
「前記非重複対象データとして設定されている前記データのうち、
前記第１記憶手段および前記第２記憶手段に重複して保存されているデータを、
前記第１記憶手段および前記第２記憶手段で重複しないように削除しても、
前記第１記憶手段または前記第２記憶手段の少なくともいずれか一方で
前記最小必要容量を確保できなくなる」と、
前記撮像素子による撮像動作、または、前記第１記憶媒体および前記第２記憶媒体への記憶動作を禁止する禁止手段をさらに備える
ことを特徴とするカメラシステム。
【請求項１３】
請求項３に記載にカメラシステムにおいて、
前記記憶容量設定手段は、前記第２記憶手段が複数設けられている場合、
前記複数の第２記憶手段を１つの第２記憶手段とみなし、
前記データ制御手段は、
前記撮像素子で撮像された被写体像のデータを、重複対象保存データとして設定して、
前記複数の第２記憶手段の少なくともいずれか一つ、および前記第１記憶手段に、
それぞれ格納するように制御する
ことを特徴とするカメラシステム。
【請求項１４】
請求項１乃至請求項１２のいずれか１項に記載されたカメラ本体と、撮像素子と、第１記憶手段とを備えることを特徴とするカメラ。
【請求項１５】
請求項１乃至請求項１２のいずれか１項に記載された第２記憶手段を備えることを特徴とする外部記憶装置。
【発明の詳細な説明】
【技術分野】
【０００１】
本発明は、被写体像を撮像した画像を電子データとして格納するカメラシステム、カメラおよび画像の電子データを格納する外部記憶装置に関する。
【背景技術】
【０００２】
ＣＣＤなどの撮像素子を用いて被写体像を撮像する電子カメラでは、撮像した被写体像の画像データが電子カメラに着脱可能なメモリカードなどに格納される。また、電子カメラに接続されて、メモリカードに格納された画像データをバックアップして格納するための外部記憶装置が知られている。この外部記憶装置では、パソコンなどを介さずに電子カメラに直接接続されて、電子カメラに格納された画像データをバックアップすることができる（特許文献１参照）。
【０００３】
【特許文献１】特開２００２−２５２７９８号公報
【発明の開示】
【発明が解決しようとする課題】
【０００４】
しかし、従来の電子カメラおよび外部記憶装置では、バックアップの必要のない画像データも含めて、電子カメラ側に格納されている画像データをすべて外部記憶装置でバックアップするため、外部記憶装置の記憶容量を有効に利用できない。
【課題を解決するための手段】
【０００５】
（１）  請求項１の発明によるカメラシステムは、カメラ本体に設けられた撮像素子と、カメラ本体に設けられて、撮像素子で撮像された被写体像のデータを格納する第１記憶手段と、第１記憶手段とは別に設けられて、撮像素子で撮像されて転送された被写体像のデータを格納する第２記憶手段と、複数のデータのうち、重複保存属性を有する重複保存対象データを第１記憶手段および第２記憶手段の記憶領域に重複して格納し、非重複保存属性を有する非重複保存対象データを第１記憶手段または第２記憶手段の少なくともいずれか一方の記憶領域に重複を前提とすることなく格納するように制御するデータ制御手段とを備えることを特徴とする。
（２）  請求項２の発明は、請求項１に記載のカメラシステムにおいて、データ制御手段は、撮像素子で新たに被写体像が撮像されると、第１記憶手段および第２記憶手段の各々の記憶領域に重複して格納されている重複保存対象データのうち最も古いデータの保存属性を、重複保存属性から非重複保存属性に変更し、第１記憶手段および第２記憶手段の双方で非重複保存対象データとして重複して格納している当該データを第１記憶手段または第２記憶手段のいずれか一方から削除するように制御することを特徴とする。
（３）  請求項３の発明は、請求項１に記載のカメラシステムにおいて、データが重複保存属性を有するデータとして第１記憶手段および第２記憶手段の各々の記憶領域内に重複して格納される重複記憶領域の容量をあらわす重複記憶容量を設定する重複記憶容量設定手段をさらに備えることを特徴とする。
（４）  請求項４の発明は、請求項３に記載のカメラシステムにおいて、データ制御手段は、新たに撮像する被写体像のデータを１つ格納するのに必要な最小必要空き容量が第１記憶手段および第２記憶手段の各々の重複記憶領域に確保されている間は、被写体像が撮像されると、当該被写体像のデータを重複保存属性を有する重複保存対象データとして設定して第１記憶手段および第２記憶手段の各々の重複記憶領域に重複して格納するように制御することを特徴とする。
（５）  請求項５の発明は、請求項３に記載のカメラシステムにおいて、データ制御手段は、第１記憶手段および第２記憶手段の各々の重複記憶領域に、新たに撮像する被写体像のデータを１つ格納するのに必要な最小必要空き容量が確保されなくなった後であっても、第１記憶手段および第２記憶手段の各々の記憶領域内の重複記憶領域以外の領域からなる非重複記憶領域のいずれにも最小必要空き容量が確保されている場合には、重複保存対象データとして設定されて第１記憶手段および第２記憶手段の各々の重複記憶領域に重複して格納されたデータのうち、最も古いデータのそれぞれを非重複保存属性を有する非重複保存対象データとして設定するとともに、被写体像が撮像されると、当該被写体像のデータを重複保存属性を有する重複保存対象データとして設定して第１記憶手段および第２記憶手段の各々の重複記憶領域に重複して格納するように制御することを特徴とする。
（６）  請求項６の発明は、請求項３に記載のカメラシステムにおいて、データ制御手段は、「第１記憶手段および第２記憶手段の各々の重複記憶領域に、新たに撮像する被写体像のデータを、１つ格納するのに必要な最小必要空き容量が確保できなくなり、かつ、第１記憶手段または第２記憶手段の少なくとも一方の非重複記憶領域に最小必要空き容量がなくなった」後であって、「非重複保存対象データとして設定されているデータのうち、第１記憶手段および第２記憶手段に重複して保存されているデータがある」場合には、（ａ）重複保存対象データとして設定されて、第１記憶手段および第２記憶手段の各々の重複記憶領域に重複して格納されたデータのうち、最も古いデータのそれぞれを、非重複保存属性を有する非重複保存対象データとして設定し、（ｂ）非重複記憶領域に最小必要空き容量を確保することができなくなった記憶手段に、非重複保存対象データとして格納されているデータであって、第１記憶手段および第２記憶手段の各々の非重複記憶領域に重複して格納されたデータのうち、少なくとも１つのデータを削除して最小必要空き容量を確保し、（ｃ）被写体像が撮像されると、当該被写体像のデータを、重複保存属性を有する重複保存対象データとして設定して、第１記憶手段および第２記憶手段の各々の重複記憶領域に、重複して格納するように制御することを特徴とする。
（７）  請求項７の発明は、請求項３に記載のカメラシステムにおいて、第１記憶手段および第２記憶手段の各々の重複記憶領域に新たに撮像する被写体像のデータを１つ格納するのに必要な最小必要空き容量を確保することができなくなり、かつ、「非重複保存対象データとして設定されているデータのうち第１記憶手段および第２記憶手段の非重複記憶領域に重複して格納される非重複保存対象データを第１記憶手段および第２記憶手段で重複しないように削除しても、第１記憶手段または第２記憶手段の少なくとも何れか一方の非重複記憶領域に最小必要空き容量を確保できなくなる」と、撮像素子による撮像動作、または、第１記憶媒体および第２記憶媒体への記憶動作を禁止する禁止手段をさらに備えることを特徴とする。
（８）  請求項８の発明は、請求項１に記載のカメラシステムにおいて、被写体像のデータを、第１記憶手段および第２記憶手段の各々の記憶領域に重複保存対象データとして、重複して格納しておく期間を指定する指定手段を有することを特徴とする。
（９）  請求項９の発明は、請求項８に記載のカメラシステムにおいて、データ制御手段は、指定手段によって指定された期間内に入力されたデータを当該期間内に限り重複保存対象データとして格納することを特徴とする。
（１０）  請求項１０の発明は、請求項８に記載のカメラシステムにおいて、指定手段は、撮像素子によって撮像された被写体像のデータを重複保存対象データとして当該撮像時からの重複して格納する期間を指定することを特徴とする。
（１１）  請求項１１の発明は、請求項８に記載のカメラシステムにおいて、データ制御手段は、新たに撮像する被写体像のデータを１つ格納するのに必要な最小必要空き容量が第１記憶手段および第２記憶手段の各々の記憶領域に確保されている間は、被写体像が撮像されると、当該被写体像のデータを重複保存属性を有する重複保存対象データとして設定して第１記憶手段および第２記憶手段の各々の記憶領域に重複して格納するように制御することを特徴とする。
（１２）  請求項１２の発明は、請求項８に記載のカメラシステムにおいて、重複保存対象データが第１記憶手段または第２記憶手段のいずれか一方の記憶手段の記憶領域に最小必要空き容量未満の空き容量となるまで格納されるか、非重複対象データとして設定されているデータのうち第１記憶手段および第２記憶手段に重複して保存されているデータを第１記憶手段および第２記憶手段で重複しないように削除しても第１記憶手段または第２記憶手段の少なくともいずれか一方で最小必要容量を確保できなくなると、撮像素子による撮像動作、または、第１記憶媒体および第２記憶媒体への記憶動作を禁止する禁止手段をさらに備えることを特徴とする。
（１３）  請求項１３の発明は、請求項１に記載にカメラシステムにおいて、記憶容量設定手段は、第２記憶手段が複数設けられている場合、複数の第２記憶手段を１つの第２記憶手段とみなし、データ制御手段は、撮像素子で撮像された被写体像のデータを重複対象保存データとして設定して、複数の第２記憶手段の少なくとも何れか一つ、および、第１記憶手段にそれぞれ格納するように制御することを特徴とする。
（１４）  請求項１４の発明によるカメラは、請求項１乃至請求項１２のいずれか１項に記載されたカメラ本体と、撮像素子と、第１記憶手段とを備えることを特徴とする。
（１５）  請求項１５の発明による外部記憶装置は、請求項１乃至請求項１２のいずれか１項に記載された第２記憶手段を備えることを特徴とする。
【発明の効果】
【０００６】
本発明によれば、確実に保存したい、最近撮像した被写体像のデータを多重化して安全に保存できるとともに、ある程度古い被写体像のデータは、重複させずに保存できるので、各記憶手段の記憶容量を有効に活用できる。また、本発明によるカメラ、外部記憶装置では、記憶容量を有効に活用できる。
【発明を実施するための最良の形態】
【０００７】
−−−第１の実施の形態−−−
図１〜５を参照して、本発明によるカメラシステムの第１の実施の形態を説明する。図１は、電子カメラ１００およびストレージャ２００のブロック図である。電子カメラ１００は、可変光学系３、シャッター（不図示）、撮像素子８、アナログ信号処理部１２、Ａ／Ｄ変換部１３、タイミング制御部１４、画像処理部１５、操作部１６、制御部１７、メモリ１８、圧縮／伸長部１９、表示画像生成部２０、モニタ２１、メモリカード用インタフェース部２２、外部インタフェース部２３を備える。
【０００８】
可変光学系３は、内部に不図示のレンズと絞りを有する。撮像素子８は、可変光学系３を通して被写体を撮像し、撮像された被写体像に対応する画像信号（撮像信号）を出力する。撮像素子８は、ＣＣＤイメージセンサなどによって構成される。撮像素子８は、可変光学系３を通過した被写体光による像を撮像し、撮像信号をアナログ信号処理部１２へ出力する。アナログ信号処理部１２は、内部にＣＤＳ（相関２重サンプリング）回路や、ＡＧＣ（オートゲインコントロール）回路などを有し、入力された画像信号に対して所定のアナログ処理を行う。Ａ／Ｄ変換部１３は、アナログ信号処理部１２で処理されたアナログ信号をデジタル信号に変換する。タイミング制御部１４は、制御部１７により制御され、撮像素子８、アナログ信号処理部１２、Ａ／Ｄ変換部１３、画像処理部１５の各動作のタイミングを制御する。
【０００９】
メモリカード用インタフェース部２２は、後述するメモリカード３０とのインタフェースをとる。外部インタフェース部２３は、所定のケーブルや無線伝送路を介してストレージャ２００等の外部装置とのインタフェースをとる。操作部１６は、レリーズボタンや、各種設定のための操作ボタン、モード切り換え用の選択ボタン等に相当する。モニタ２１は、各種メニューを表示したり、撮像素子８で撮像した被写体像やメモリカード３０に格納された画像データに基づく再生画像を表示したりする。操作部１６の出力は制御部１７に接続され、モニタ２１には表示画像生成部２０の出力が接続される。画像処理部１５は、たとえば、画像処理専用の１チップ・マイクロプロセッサで構成される。
【００１０】
Ａ／Ｄ変換部１３、画像処理部１５、制御部１７、メモリ１８、圧縮／伸長部１９、表示画像生成部２０、メモリカード用インタフェース部２２、外部インタフェース部２３は、バス２４を介して相互に接続されている。
【００１１】
メモリカード３０は、たとえば半導体メモリを用いたカード状のリムーバブルメモリであり、画像処理後の画像データが格納される。メモリカード３０は、電子カメラ１００に着脱可能であり、電子カメラ１００に装着されると、上述のように電子カメラ１００のメモリカード用インタフェース部２２を介して、電子カメラ１００と画像データのやりとりができる。すなわち、メモリカード３０は、電子カメラ１００に装着されると、電子カメラ１００の記憶媒体として機能する。
【００１２】
ストレージャ２００は、電子カメラ１００で撮像した被写体像の画像データを保存する外部記憶装置である。ストレージャ２００は、制御部２０１、画像データを格納するハードディスク２０２、装着されたメモリカード３０とのインタフェースをとるメモリカード用インタフェース部２１１、所定のケーブルや無線伝送路を介して電子カメラ１００等の外部装置とのインタフェースをとる外部インタフェース部２１２を備える。なお、以下の説明では、ストレージャ２００を外部記憶装置とも呼び、メモリカード３０を内部記憶装置とも呼ぶ。
【００１３】
図１のような構成の電子カメラ１００において、操作部１６を介し、操作者（撮影者）によって撮影モードが選択されてレリーズボタンが押されると、制御部１７は、タイミング制御部１４を介して、撮像素子８、アナログ信号処理部１２、Ａ／Ｄ変換部１３に対するタイミング制御を行う。撮像素子８は、可変光学系３により撮像領域に結像された光学像に対応する画像信号を生成する。その画像信号は、アナログ信号処理部１２で所定のアナログ信号処理が行われ、アナログ処理後画像信号としてＡ／Ｄ変換部１３へ出力される。Ａ／Ｄ変換部１３では、アナログ処理後の画像信号をデジタル化し、画像データとして、画像処理部１５に供給する。
【００１４】
画像処理部１５は、Ａ／Ｄ変換部１３から供給された画像データに対し、補間、階調変換や輪郭強調などの画像処理を行う。このような画像処理が完了した画像データは、必要に応じて、圧縮／伸長部１９で所定の圧縮処理が施され、メモリカード用インタフェース部２２を介してメモリカード３０に記録される。画像処理が完了した画像データは、圧縮処理を施さずにメモリカード３０に記録してもよい。
【００１５】
画像処理が完了した画像データは、圧縮／伸長部１９で所定の圧縮処理が施され、外部インタフェース２３および所定のケーブルや無線伝送路を介してストレージャ２００にも提供される。ここで、画像処理が完了した画像データは、圧縮処理を施さずに、外部インタフェース２３および所定のケーブルや無線伝送路を介してストレージャ２００に提供されてもよい。また、メモリカード３０を介してストレージャ２００に提供することもできる。ストレージャ２００は、メモリカード用インタフェース部２１１や外部インタフェース部２１２を介して提供された画像データをハードディスク２０２に記録（格納）する。
【００１６】
本実施の形態のカメラシステムでは、ストレージャ２００を所定のケーブルや無線伝送路を介して電子カメラ１００と電気的に接続した状態で、電子カメラ１００によって撮像可能であり、この状態で撮像された被写体像の画像データは、電子カメラ１００に装着されたメモリカード３０、および、ストレージャ２００のハードディスク２０２に重複して格納される。すなわち、電子カメラ１００で撮像した画像の画像データを電子カメラ１００側とストレージャ２００側とのそれぞれで格納することで、保存する画像データを２重化する。
【００１７】
−−−画像データの格納について−−−
本実施の形態のカメラシステムでは、後述する重複保存属性の設定された新しい画像データを電子カメラ１００側およびストレージャ２００側の双方で重複して格納し、後述する非重複保存属性の設定された古い画像データを電子カメラ１００側またはストレージャ２００側のいずれか一方で格納する。以下、画像データの格納方法について説明する。
【００１８】
電子カメラ１００側およびストレージャ２００側の各々の重複記憶領域で画像データを重複して格納する容量を重複記憶容量と呼ぶ。また、電子カメラ１００側およびストレージャ２００側の各々について、重複記憶領域以外の領域（非重複記憶領域）に必ずしも重複を前提としないで記憶することができる容量を、非重複記憶容量と呼ぶ。図２に示すように、本実施の形態のカメラシステムでは、重複記憶容量を電子カメラ１００で設定可能である。たとえば、メモリカード３０の記憶容量が４ＧＢであり、ストレージャ２００の記憶容量が２０ＧＢである場合、記憶容量が少ないメモリカード３０の記憶容量の４ＧＢを上限として、任意の容量を重複記憶容量として設定可能である。たとえば、重複記憶容量が１０００ＭＢ（１ＧＢ）に設定された場合、メモリカード３０およびストレージャ２００の双方に、それぞれ１ＧＢ分の記憶容量が重複記憶容量として設定される。重複記憶容量の設定は、たとえば、電子カメラ１００のモニタ２１に表示される設定画面から任意の容量を入力して決定することで設定できる。なお、重複記憶容量の設定は、重複して格納される画像データの枚数（フレーム数）を入力するものであってもよい。
【００１９】
なお、重複記憶領域を除いたメモリカード３０の残り３ＧＢ分の非重複記憶領域、および、重複記憶領域を除いたストレージャ２００の残りの１９ＧＢ分の非重複記憶領域は、重複記憶を前提としない、非重複保存属性の設定された古い画像データの格納に利用される。この古い画像データは、後述するように、メモリカード３０またはストレージャ２００の少なくともいずれか一方で格納されるように管理される。
【００２０】
電子カメラ１００で重複記憶容量が設定されると、その設定情報が、外部インタフェース２３および所定のケーブルや無線伝送路を介してストレージャ２００に提供される。ストレージャ２００の制御部２０１は、電子カメラ１００から提供された重複記憶容量の設定情報に基づいて、ストレージャ２００の重複記憶容量を設定する。
【００２１】
このように重複記憶容量が設定されたカメラシステムで、被写体像を撮像したときの画像データの処理について図３（ａ）〜（ｌ）を参照して説明する。なお、以下の説明では、撮像する被写体像の画像データを１つ格納するのに必要な容量を最小必要空き容量と呼ぶ。最小必要空き容量は、各画像データのデータ容量がとりうる最大値である。また、最小必要空き容量は、圧縮／伸長部１９で行われる圧縮動作の圧縮率によって随時変更されるものであってもよい。なお、ここでは簡単のために各画像データのデータ容量が常に最小必要空き容量と等しい場合を例にとって説明する。
【００２２】
−−−重複記憶領域に最小必要空き容量が確保されている場合−−−
電子カメラ１００側およびストレージャ２００側のそれぞれで重複記憶領域に最小必要空き容量が確保されている場合、電子カメラ１００で新たに被写体像が撮像されると、電子カメラ１００の制御部１７は、この被写体像の画像データを電子カメラ１００側およびストレージャ２００側のそれぞれでの重複記憶領域に重複して格納するように、撮像された被写体像の画像データを重複保存対象データとして設定する。すなわち、電子カメラ１００の制御部１７は、この被写体像の画像データの属性を重複保存対象として設定する。
【００２３】
以下、この属性のことを保存属性と呼び、保存属性が重複保存対象（重複保存属性）として設定された画像データを重複保存対象データと呼ぶ。また、電子カメラ１００側またはストレージャ２００側の少なくともいずれか一方で格納することとする画像データは、その保存属性を非重複保存対象（非重複保存属性）として設定される。保存属性が非重複保存対象として設定された画像データを非重複保存対象データと呼ぶ。
【００２４】
電子カメラ１００の制御部１７は、撮像した被写体像の画像データの属性を重複保存対象として設定すると、この画像データおよび保存属性をメモリカード３０に格納するとともに、この画像データおよび保存属性をストレージャ２００に提供する。なお、画像データには、撮像時の日時の情報も含まれている。
【００２５】
ストレージャ２００の制御部２０１は、電子カメラ１００から提供された画像データをその保存属性とともにハードディスク２０２に格納する。すなわち、電子カメラ１００で新たに被写体像が撮像されると、この画像データが電子カメラ１００側およびストレージャ２００側で、重複保存対象データとしてそれぞれ管理・保存される。
【００２６】
たとえば、図３（ａ）に示すように、Ｐｈｏｔｏ１が撮像されると、Ｐｈｏｔｏ１の画像データが電子カメラ１００側およびストレージャ２００側のそれぞれで重複して格納され、図３（ｂ）に示すように、Ｐｈｏｔｏ２が撮像されると、Ｐｈｏｔｏ２の画像データが電子カメラ１００側およびストレージャ２００側のそれぞれの重複記憶領域に重複して格納される。
【００２７】
−−−重複記憶領域に最小必要空き容量がなくなった場合−−−
図３（ｂ）、（ｄ）に示すように、電子カメラ１００側およびストレージャ２００側の重複記憶領域に最小必要空き容量がなくなった場合であって、電子カメラ１００側およびストレージャ２００側の双方で非重複記憶領域に最小必要空き容量が残っている場合について説明する。この場合には、格納された重複保存対象データのうち、撮影日時が古い画像データから順に、電子カメラ１００側およびストレージャ２００側の双方で、その保存属性を非重複保存対象に変更する。この保存属性の変更は、電子カメラ１００側およびストレージャ２００側で、それぞれの重複記憶領域に最小必要空き容量が確保されるまで行われる。このように、重複保存対象データをＦＩＦＯ動作によって非重複保存対象に変更することで、電子カメラ１００側およびストレージャ２００側の記憶領域の空き容量のうち、少なくとも保存属性を変更した画像データの容量の和が重複記憶領域の空き容量として確保される。
【００２８】
たとえば、図３（ｂ）に示す場合には、電子カメラ１００側およびストレージャ２００側のそれぞれで重複保存対象データとして重複して格納されているＰｈｏｔｏ１およびＰｈｏｔｏ２の画像データのうち、先に撮像されたＰｈｏｔｏ１の画像データの保存属性が非重複保存対象に変更される（図３（ｃ））。この保存属性の変更により、電子カメラ１００側およびストレージャ２００側のそれぞれの重複記憶領域に最小必要空き容量が確保される。この段階では、Ｐｈｏｔｏ１，Ｐｈｏｔｏ２の画像データが電子カメラ１００側およびストレージャ２００側のそれぞれで重複して格納されている。
【００２９】
同様に、図３（ｄ）に示す場合には、電子カメラ１００側およびストレージャ２００側のそれぞれで重複保存対象データとして重複して格納されているＰｈｏｔｏ２およびＰｈｏｔｏ３の画像データのうち、先に撮像されたＰｈｏｔｏ２の画像データの保存属性が非重複保存対象に変更される（図３（ｅ））。この保存属性の変更により、電子カメラ１００側およびストレージャ２００側のそれぞれの重複記憶領域に最小必要空き容量が確保される。この段階では、Ｐｈｏｔｏ１〜Ｐｈｏｔｏ３の画像データが電子カメラ１００側およびストレージャ２００側のそれぞれで重複して格納されている。
【００３０】
電子カメラ１００で新たに被写体像が撮像されると、電子カメラ１００の制御部１７は、この被写体像の画像データを重複保存対象データとしてメモリカード３０に格納するとともに、この画像データおよび保存属性をストレージャ２００に提供する。ストレージャ２００の制御部２０１は、電子カメラ１００から提供された画像データをその保存属性とともにハードディスク２０２に格納する。
【００３１】
たとえば、図３（ｃ）に示す状態でＰｈｏｔｏ３が撮像されると、Ｐｈｏｔｏ３の画像データが電子カメラ１００側およびストレージャ２００側のそれぞれで重複して格納されて図３（ｄ）に示す状態となる。図３（ｅ）に示す状態でＰｈｏｔｏ４が撮像されると、Ｐｈｏｔｏ４の画像データが電子カメラ１００側およびストレージャ２００側のそれぞれで重複して格納されて図３（ｆ）に示す状態となる。
【００３２】
−−−電子カメラ１００側で記憶領域に最小必要空き容量がなくなった場合−−−
図３（ｆ）に示すように、電子カメラ１００側またはストレージャ２００側のいずれか一方で記憶領域に最小必要空き容量がなくなり、他方で記憶領域（非重複記憶領域）に最小必要空き容量が残っている場合について説明する。以下の説明では、説明の便宜上、メモリカード３０の記憶容量がストレージャ２００のハードディスク２０２の記憶容量よりも小さい場合、すなわち、電子カメラ１００側で記憶領域に最小必要空き容量がなくなった場合について説明する。なお、メモリカード３０とストレージャ２００のハードディスク２０２の記憶容量の大小が逆転していても、以下に説明する機器（電子カメラ１００およびストレージャ２００）が入れ替わるだけである。
【００３３】
電子カメラ１００側で記憶領域に最小必要空き容量がなくなり、ストレージャ２００側で記憶領域（非重複記憶領域）に最小必要空き容量が残っている場合、次のように電子カメラ１００側およびストレージャ２００側の重複記憶領域に最小必要空き容量を確保する。
【００３４】
まず、上述の場合と同様に、格納されている重複保存対象データのうち、撮影日時が古い画像データから順に、電子カメラ１００側およびストレージャ２００側の双方で、最小必要空き容量に相当する容量分の画像データの保存属性を非重複保存対象に変更する。この保存属性の変更は、電子カメラ１００側およびストレージャ２００側で、それぞれの重複記憶領域に最小必要空き容量が確保されるまで行われる。この保存属性の変更によって電子カメラ１００側およびストレージャ２００側のそれぞれについて、重複保存対象データの容量の和が、重複記憶容量から最小必要空き容量を差し引いた容量よりも小さくなる。これにより、ストレージャ２００側の記憶領域の空き容量のうち、少なくとも保存属性を変更した画像データの容量の和が重複記憶領域の空き容量として確保される。
【００３５】
そして、電子カメラ１００側で格納している非重複保存対象データのうち、ストレージャ２００側と重複して格納している画像データについて、撮影日時が古い画像データから順に削除する。この画像データの削除は、電子カメラ１００側で、記憶領域に最小必要空き容量が確保されるまで行われる。これにより生じた電子カメラ１００側の記憶領域の空き容量を重複記憶領域の空き容量として確保する。すなわち、電子カメラ１００側から削除しても、ストレージャ２００側に残ることとなる非重複保存対象データ（削除可能な画像データ）がＦＩＦＯ動作によって電子カメラ１００側から削除される。
【００３６】
このようにすることで、電子カメラ１００側およびストレージャ２００側の双方の重複記憶領域に最小必要空き容量を確保することができる。また、非重複保存対象データは、少なくともストレージャ２００側には格納されていることとなる。
【００３７】
たとえば、図３（ｆ）に示す状態で、電子カメラ１００側およびストレージャ２００側のそれぞれで重複保存対象データとして格納されているＰｈｏｔｏ３およびＰｈｏｔｏ４の画像データのうち、先に撮像されたＰｈｏｔｏ３の画像データの保存属性が非重複保存対象に変更される。
【００３８】
そして、電子カメラ１００側で格納している非重複保存対象データであるＰｈｏｔｏ１〜Ｐｈｏｔｏ３の画像データうち、ストレージャ２００側と重複して非重複記憶領域に格納している画像データであって先に撮像されたＰｈｏｔｏ１の画像データを電子カメラ１００側から削除する。これにより、図３（ｇ）に示すように、電子カメラ１００側およびストレージャ２００側のそれぞれの重複記憶領域に最小必要空き容量が確保される。
【００３９】
−−−電子カメラ１００側およびストレージャ２００側の双方で記憶領域に最小必要空き容量がなくなった場合−−−
図３（ｈ）に示すように、電子カメラ１００側およびストレージャ２００側の双方で記憶領域に最小必要空き容量がなくなった場合、上述の場合と同様に、格納されている重複保存対象データのうち、撮影日時が古い画像データから順に、電子カメラ１００側およびストレージャ２００側の双方で、最小必要空き容量に相当する容量分の画像データの保存属性を非重複保存対象に変更する。この保存属性の変更は、電子カメラ１００側およびストレージャ２００側で、それぞれの重複記憶領域に最小必要空き容量が確保されるまで行われる。
【００４０】
そして、非重複保存対象データのうち、電子カメラ１００側およびストレージャ２００側のそれぞれで重複して格納している画像データについて、電子カメラ１００側またはストレージャ２００側のいずれか一方で当該画像データを削除し、他方で当該画像データを引き続き格納することとする。この画像データの削除の際に、電子カメラ１００側またはストレージャ２００側で、最小必要空き容量未満の空き容量が少ない方から先に削除するようにしてもよい。この画像データの削除は、撮影日時が古い画像データから順に削除することとし、電子カメラ１００側およびストレージャ２００側のいずれか一方で、記憶領域に最小必要空き容量が確保されるまで行われる。これにより、電子カメラ１００側およびストレージャ２００側のいずれか一方で生じた記憶領域の空き容量を重複記憶領域の最小必要空き容量以上の空き容量として確保できる。
【００４１】
次いで、非重複保存対象データのうち、上記処理の後で電子カメラ１００側およびストレージャ２００側のそれぞれで重複して格納している画像データについて、電子カメラ１００側またはストレージャ２００側のいずれか他方で当該画像データを削除し、一方で当該画像データを引き続き格納することとする。この画像データの削除は、撮影日時が古い画像データから順に削除することとし、電子カメラ１００側およびストレージャ２００側のいずれか他方で、記憶領域に最小必要空き容量が確保されるまで行われる。これにより、電子カメラ１００側およびストレージャ２００側のいずれか他方で生じた記憶領域の空き容量を重複記憶領域の最小必要空き容量以上の空き容量として確保できる。
【００４２】
このようにすることで、上述の場合と同様に、電子カメラ１００側およびストレージャ２００側の双方の重複記憶領域に最小必要空き容量を確保することができる。また、非重複保存対象データは、電子カメラ１００側またはストレージャ２００側の少なくともいずれか一方に格納されていることとなる。
【００４３】
たとえば、図３（ｈ）に示す状態で、電子カメラ１００側およびストレージャ２００側のそれぞれで重複保存対象データとして格納されているＰｈｏｔｏ４およびＰｈｏｔｏ５の画像データのうち、先に撮像されたＰｈｏｔｏ４の画像データの保存属性が非重複保存対象に変更される。
【００４４】
そして、電子カメラ１００側とストレージャ２００側とで重複して格納している非重複保存対象データである画像データＰｈｏｔｏ２〜Ｐｈｏｔｏ４のうち、先に撮像されたＰｈｏｔｏ２の画像データを、電子カメラ１００側またはストレージャ２００側のいずれか一方から削除する。図３（ｉ）の例では、Ｐｈｏｔｏ２の画像データを電子カメラ１００側から削除している。これにより、電子カメラ１００側で記憶領域に空き容量が生じ、この空き容量を重複記憶領域の最小必要空き容量以上の空き容量として確保できる。
【００４５】
次に、電子カメラ１００側とストレージャ２００側とで重複して格納している非重複保存対象データである画像データＰｈｏｔｏ３およびＰｈｏｔｏ４のうち、先に撮像されたＰｈｏｔｏ３の画像データを、電子カメラ１００側またはストレージャ２００側のいずれか他方、すなわちストレージャ２００側から削除する。これにより、ストレージャ２００側で記憶領域に空き容量が生じ、この空き容量を重複記憶領域の最小必要空き容量以上の空き容量として確保できる（図３（ｉ））。
【００４６】
これらの削除動作を行うにあたり、削除されるデータの情報を電子カメラ１００側とストレージャ２００側で共有するため、両者の間で通信が行われる。
【００４７】
また、図３（ｊ）に示す状態の場合には、電子カメラ１００側およびストレージャ２００側のそれぞれで重複保存対象データとして格納されているＰｈｏｔｏ５およびＰｈｏｔｏ６の画像データのうち、先に撮像されたＰｈｏｔｏ５の画像データの保存属性が非重複保存対象に変更される。
【００４８】
そして、電子カメラ１００側とストレージャ２００側とで重複して格納している非重複保存対象データである画像データＰｈｏｔｏ４およびＰｈｏｔｏ５のうち、先に撮像されたＰｈｏｔｏ４の画像データを、電子カメラ１００側またはストレージャ２００側のいずれか一方から削除する。図３（ｋ）の例では、Ｐｈｏｔｏ４の画像データを電子カメラ１００側から削除している。これにより、電子カメラ１００側で記憶領域に空き容量が生じ、この空き容量を重複記憶領域の最小必要空き容量以上の空き容量として確保できる。
【００４９】
次に、電子カメラ１００側とストレージャ２００側とで重複して格納している非重複保存対象データである画像データＰｈｏｔｏ５の画像データを電子カメラ１００側またはストレージャ２００側のいずれか他方、すなわちストレージャ２００側から削除する。これにより、ストレージャ２００側で記憶領域に空き容量が生じ、この空き容量を重複記憶領域の最小必要空き容量以上の空き容量として確保できる（図３（ｋ））。
【００５０】
なお、重複記憶領域に最小必要空き容量がなくなり、かつ、電子カメラ１００側およびストレージャ２００側の少なくともいずれか一方の非重複記憶領域に最小必要空き容量がなくなり、かつ、その装置の非重複保存対象データのうち、電子カメラ１００側およびストレージャ２００側のそれぞれで重複して格納している画像データ（すなわち削除可能な画像データ）がなくなると、電子カメラ１００での撮像が禁止される。電子カメラ１００側またはストレージャ２００側の少なくともいずれか一方で重複記憶領域に最小必要空き容量を確保することができなくなるため、電子カメラ１００で新たに被写体像が撮像されても、この被写体像の画像データを電子カメラ１００側およびストレージャ２００で重複して格納できないからである。この場合、電子カメラ１００側での撮像動作を許可して、メモリカード３０およびハードディスク２０２への画像データの記憶を禁止する構成としてもよい。
【００５１】
図３（ｌ）に示した状態は、重複記憶領域に最小必要空き容量がなくなり、かつ、電子カメラ１００側または／およびストレージャ２００側の非重複記憶領域に最小必要空き容量が確保できなくなり、かつ、非重複保存対象データのうち、電子カメラ１００側およびストレージャ２００側のそれぞれで重複して格納している画像データがなくなった場合を示している。この場合には、これに続く電子カメラ１００での撮像動作、または、電子カメラ１００およびストレージャ２００での記憶動作が禁止される。
【００５２】
−−−電子カメラ１００に関するフローチャート−−−
上述した処理を行うために電子カメラ１００の制御部１７で行われる処理について、図４のフローチャートを参照して説明する。上述のように、以下のフローチャートの説明では、電子カメラ１００に装着されたメモリカード３０を内部記憶装置と呼び、ストレージャ２００を外部記憶装置と呼ぶ。図４のフローチャートによるプログラムは、電子カメラ１００の不図示の電源スイッチがオンされると起動する。
【００５３】
ステップＳ１において、電子カメラ１００に外部記憶装置が接続されているか否かを判断する。ステップＳ１が肯定判断されるとステップＳ３へ進み、非重複保存対象データに変更可能な重複保存対象データの情報や、格納されている非重複保存対象データの情報、空き容量に関する情報など、各記憶装置で格納している画像データに関する情報を、各記憶装置から取得するまで待機してステップＳ５へ進む。ステップＳ５において、すべての記憶装置の重複記憶領域に最小必要空き容量が残っているか否かを判断する。
【００５４】
ステップＳ５が否定判断されるとステップＳ７へ進み、重複記憶領域に最小必要空き容量が残っていない記憶装置のうち、非重複記憶領域の空き容量が最小の記憶装置を検索してステップＳ９へ進む。ステップＳ９において、ステップＳ７で検索した非重複記憶領域の空き容量が最小の記憶装置を選択してステップＳ１１へ進む。ステップＳ１１において、ステップＳ９で選択した記憶装置（以下、選択記憶装置と呼ぶ）で格納している重複保存対象データのうち、非重複保存対象データに変更可能な画像データがあるか否かを判断する。
【００５５】
なお、本実施の形態のステップＳ１１では、重複記憶領域に最小必要空き容量が残っていない場合に、重複保存対象データのうち撮影日時が最も古い画像データを非重複保存対象データに変更可能な画像データとして扱う。
【００５６】
ステップＳ１１が否定判断されるとステップＳ４１へ進む。ステップＳ１１が肯定判断されるとステップＳ１３へ進み、ステップＳ１１で非重複保存対象データに変更可能と判断した重複保存対象データを非重複保存対象データに変更するようにメモリカード３０に信号を出力する。なお、この信号は、ストレージャ２００に対しても出力される。ステップＳ１３が実行されるとステップＳ１５へ進み、選択記憶装置に格納された非重複保存対象データのうち、選択記憶装置以外の記憶装置にも重複して記憶されている画像データがあるか否か、すなわち、選択記憶装置で画像データを消去しても問題がない、削除可能な画像データがあるか否かを判断する。
【００５７】
ステップＳ１５が肯定判断されるとステップＳ１７へ進み、ステップＳ１５で削除可能と判断した非重複保存対象の画像データのうち、撮影日時が最も古い画像データを選択記憶装置から削除するようにメモリカード３０に信号を出力してリターンする。なお、ステップＳ１７では、ストレージャ２００側で非重複保存対象の画像データを削除する必要があると判断された場合には、ストレージャ２００に対して、その旨を示す信号を、削除すべき画像データを特定する情報とともに出力する。
【００５８】
ステップＳ１５が否定判断されるとステップＳ４１へ進み、モニタ２１に新たな撮影、または、新たな記憶（格納）ができない旨を表示してステップＳ４３へ進む。ステップＳ４３において、レリーズボタンが操作されても撮像できないように撮像を禁止する処理、または、メモリカード３０およびハードディスク２０２への新たな画像データの記憶（格納）を行う記憶動作を禁止する処理を行ってリターンする。
【００５９】
ステップＳ５が肯定判断されるとステップＳ３１へ進み、レリーズボタンが操作されるまで、すなわち撮像の指示があるまで待機して撮像動作を行ってステップＳ３３へ進む。ステップＳ３３において、ステップＳ３１で撮像された画像データを重複保存対象データとして内部記憶装置に格納してステップＳ３５へ進む。ステップＳ３５において、ステップＳ３１で撮像された画像データを重複保存対象データとして外部記憶装置に提供してリターンする。
【００６０】
ステップＳ１が否定判断されるとステップＳ２１へ進み、レリーズボタンの操作を待って従来の電子カメラと同様に、重複記憶を伴わない通常の撮像、記憶動作を行う。このステップＳ２１における動作については公知であるため、説明を省略する。ステップＳ２１が実行されるとリターンする。
【００６１】
−−−ストレージャ２００に関するフローチャート−−−
ストレージャ２００の制御部２０１で行われる処理について、図５のフローチャートを参照して説明する。図５のフローチャートによるプログラムは、電子カメラ１００と接続されて、不図示の電源スイッチがオンされると起動する。
【００６２】
ステップＳ６１において、ハードディスク２０２に格納されている重複保存対象データのうち、非重複保存対象データに変更可能な画像データがあるか否かを確認する。
【００６３】
なお、本実施の形態のステップＳ６１では、重複記憶領域に最小必要空き容量が残っていない場合に、重複保存対象データのうち撮影日時が最も古い画像データを非重複保存対象データに変更可能な画像データとして扱う。
【００６４】
ステップＳ６１が実行されるとステップＳ６３へ進み、ステップＳ６１で確認した、非重複保存対象データに変更可能な画像データの情報や、格納されている非重複保存対象データの情報、空き容量に関する情報などを電子カメラ１００側に提供してステップＳ６５へ進む。ステップＳ６５において、重複保存対象データのうち撮影日時が最も古い画像データを非重複保存対象データに変更する指示を電子カメラ１００側から受けたか否かを判断する。ステップＳ６５が肯定判断されると、ステップＳ６７へ進み、重複保存対象データのうち撮影日時が最も古い画像データを非重複保存対象データに変更する。
【００６５】
ステップＳ６７が実行されるかステップＳ６５が否定判断されるとステップＳ６９へ進み、重複して格納されている非重複保存対象データのうち撮影日時が最も古い画像データを削除する指示を電子カメラ１００側から受けたか否かを判断する。ステップＳ６９が肯定判断されるとステップＳ７１へ進み、重複して格納されている非重複保存対象データのうち撮影日時が最も古い画像データを削除する。
【００６６】
ステップＳ７１が実行されるかステップＳ６９が否定判断されるとステップＳ７３へ進み、電子カメラ１００側から新たな画像データの提供を受けたか否かを判断する。ここで、電子カメラ１００側とストレージャ２００側の重複記憶領域に格納されるデータは同一である。したがって、電子カメラ１００は、メモリカード３０の重複記憶領域のデータ格納状況から、ストレージャ２００側の重複記憶領域のデータ格納状況を把握することができる。すなわち、電子カメラ１００は、双方の重複記憶領域に最小必要空き容量が確保されている場合に、撮像動作を行って、新たな画像データをストレージャ２００側に提供することができる。したがって、ステップＳ７３が肯定判断される場合は、重複記憶領域に最小必要空き容量が確保されている。
【００６７】
ステップＳ７３が肯定判断されるとステップＳ７５へ進み、電子カメラ１００側から新たに提供された画像データを重複保存対象データとしてハードディスク２０２に格納してリターンする。ステップＳ７３が否定判断されるとステップＳ６１へ戻る。
【００６８】
上述した第１の実施の形態のカメラシステムでは、次の作用効果を奏する。
（１）  撮影日時が新しい画像データは、電子カメラ１００側とストレージャ２００側とで重複して格納し、撮影日時が古い画像データは、電子カメラ１００側またはストレージャ２００側のいずれか一方で格納するように構成した。これにより、確実に保存したい、最近撮像した画像データを２重化して安全に保存できるとともに、ある程度古い画像データは重複させずに保存できるので、メモリカード３０およびハードディスク２０２の記憶容量を有効に活用できる。
【００６９】
（２）  重複保存対象データのうち、撮影日時が最も古い画像データから順に非重複保存対象データとして設定して、電子カメラ１００側またはストレージャ２００側のいずれか一方で格納している非重複保存対象データを残し、他方で格納している当該非重複保存対象データを撮影日時の古いものから順に削除するように構成した。これにより、重複保存の必要性の少ない撮影日時の古い画像データの重複分を、撮影日時の古いものから順に削除できるので、優先度に応じて画像データを安全に格納（保存）できる。
【００７０】
（３）  重複記憶領域に最小必要空き容量が残っている間は、被写体像が撮像されると当該被写体像のデータを重複保存対象データとして設定して電子カメラ１００側とストレージャ２００側とでそれぞれに重複して格納するように構成した。これにより、重複記憶容量として設定された容量の分だけ画像データを確実に重複保存でき、画像データ保存の信頼性が高い。
【００７１】
（４）  重複記憶領域に最小必要空き容量がなくなっても、電子カメラ１００側およびストレージャ２００側の記憶領域（非重複記憶領域）のいずれにも最小必要空き容量がある場合には、重複保存対象データとして電子カメラ１００側およびストレージャ２００側のそれぞれに重複して格納された画像データのうち最も古いデータをそれぞれ非重複保存対象データとして設定するように構成した。また、被写体像が撮像されると当該被写体像の画像データを重複保存対象データとして電子カメラ１００側およびストレージャ２００側のそれぞれに重複して格納するように構成した。これにより、重複保存の必要性の高い、撮影日時が新しい画像データを確実に重複保存できるので、重複保存の要請に合致したカメラシステムを実現できる。
【００７２】
（５）  電子カメラ１００側または／およびストレージャ２００側の記憶領域に最小必要空き容量がなくなると、電子カメラ１００側およびストレージャ２００側に重複して保存されている非重複保存対象データがある場合には、撮影日時の古い非重複保存対象データから順に電子カメラ１００側またはストレージャ２００側のいずれか一方で当該画像データを削除し、他方で当該画像データを引き続き格納するように構成した。これにより、重複保存の必要のない画像データの重複分を、撮影日時の古いものから順に削除できるので、記憶容量を無駄なく利用できる。
【００７３】
（６）  重複記憶容量に最小必要空き容量がなくなり、かつ、電子カメラ１００側およびストレージャ２００側の少なくともいずれか一方の非重複記憶領域に最小必要空き容量がなくなり、かつ、その装置の非重複保存対象データのうち削除可能な画像データがなくなると、電子カメラ１００での撮像、または記憶が禁止されるように構成した。これにより、撮影日時の古い画像データであっても、電子カメラ１００側またはストレージャ２００側のいずれか一方で保存されるので、撮影者が意図しない古い画像データの消失を防止でき、画像データを確実に保存できる。
【００７４】
（７）  重複記憶領域に最小必要空き容量が確保できなくなると、モニタ２１に撮影、または記憶できない旨を表示するように構成した。これにより、撮影者に対して、他のストレージャやパーソナルコンピュータなどの外部機器に画像データを転送することを促すことができる。
【００７５】
（８）  重複記憶容量によって重複保存する画像データのデータ量を規定するように構成した。また、重複記憶容量を電子カメラ１００で設定可能に構成した。これにより、撮影状況に応じて撮影者が重複保存する画像データの容量を設定できるので、利便性が高い。
【００７６】
上記の説明で用いた重複記憶領域は、重複保存対象データを、電子カメラ１００、ストレージャ２００の各々で重複して記憶（格納）する記憶領域である。重複記憶領域は、必ずしも、メモリカード３０やハードディスク２０２内の物理的に固定された領域（たとえば所定範囲のアドレスやセクタ）ではなく、保存属性の変更とともに、その領域が時間的に変動することもある。すなわち、たとえばメモリカード３０内で、重複保存属性の設定されているデータが格納されている領域は、重複記憶領域であるが、同じ格納アドレスであっても、その保存属性が、非重複保存属性に変更されると、そのアドレスの格納領域は、非重複記憶領域に変化する。
【００７７】
−−−第２の実施の形態−−−
図６〜９を参照して、本発明によるカメラシステムの第２の実施の形態を説明する。以下の説明では、第１の実施の形態と同じ構成要素には同じ符号を付して相違点を主に説明する。特に説明しない点については、第１の実施の形態と同じである。第２の実施の形態のカメラシステムでは、図６に示すように、２台目のストレージャ３００をさらに接続可能としている。なお、図６では、２台目のストレージャ３００は、電子カメラ１００に直接接続されているが、１台目のストレージャ２００を介して電子カメラ１００と接続されるように構成してもよい。
【００７８】
ストレージャ３００は、ストレージャ２００と同様の構成であり、制御部３０１、画像データを格納するハードディスク３０２、メモリカード３０とのインタフェースをとるメモリカード用インタフェース部３１１、所定のケーブルや無線伝送路を介して電子カメラ１００等の外部装置とのインタフェースをとる外部インタフェース部３１２を備える。
【００７９】
本実施の形態のカメラシステムでは、ストレージャ２００，３００を所定のケーブルや無線伝送路を介して電子カメラ１００と接続した状態で、電子カメラ１００によって撮像可能であり、この状態で撮像された被写体像の画像データは、電子カメラ１００に装着されたメモリカード３０、および、ストレージャ２００，３００のそれぞれのハードディスク２０２，３０２に重複して格納される。すなわち、電子カメラ１００で撮像した画像の画像データを、電子カメラ１００側と、ストレージャ２００側と、ストレージャ３００側とのそれぞれで格納することで、保存する画像データを３重化する。
【００８０】
−−−画像データの格納について−−−
本実施の形態のカメラシステムでは、上述のように、新しい画像データを、電子カメラ１００側と、ストレージャ２００側と、ストレージャ３００側とのそれぞれの重複記憶領域に重複して格納し、古い画像データを電子カメラ１００側、ストレージャ２００側またはストレージャ３００側のいずれか一つで格納する。以下、画像データの格納方法について説明する。
【００８１】
電子カメラ１００側と、ストレージャ２００側と、ストレージャ３００側とで画像データを重複して格納する容量を重複記憶容量と呼ぶ。また、電子カメラ１００側、ストレージャ２００，３００側の各々について、重複記憶領域以外の領域（非重複記憶領域）に、必ずしも重複を前提としないで記憶することができる容量を、非重複記憶容量と呼ぶ。第１の実施の形態と同様に、本実施の形態のカメラシステムでは、重複記憶容量を電子カメラ１００で設定可能である。
【００８２】
電子カメラ１００で重複記憶容量が設定されると、その設定情報が、外部インタフェース２３および所定のケーブルや無線伝送路を介してストレージャ２００，３００に提供される。ストレージャ２００，３００の制御部２０１，３０１は、電子カメラ１００から提供された重複記憶容量の設定情報に基づいて、ストレージャ２００，３００の重複記憶容量をそれぞれ設定する。
【００８３】
このように重複記憶容量が設定されたカメラシステムで、被写体像を撮像したときの画像データの処理について図７〜９を参照して説明する。
【００８４】
−−−重複記憶領域に最小必要空き容量が確保されている場合−−−
すべての記憶装置で重複記憶領域に最小必要空き容量が確保されている場合、電子カメラ１００で新たに被写体像が撮像されると、第１の実施の形態と同様に画像データが処理される。すなわち、図７（ａ）、（ｂ）に示すように、電子カメラ１００で新たに被写体像が撮像されると、電子カメラ１００の制御部１７は、この被写体像の画像データ（Ｐｈｏｔｏ１，Ｐｈｏｔｏ２）の保存属性を重複保存対象として設定して、この画像データおよび保存属性をメモリカード３０に格納するとともに、この画像データおよび保存属性をストレージャ２００，３００に提供する。
【００８５】
ストレージャ２００，３００の制御部２０１，３０１は、電子カメラ１００から提供された画像データをその保存属性とともにハードディスク２０２，３０２にそれぞれ格納する。
【００８６】
−−−重複記憶領域に最小必要空き容量がなくなった場合−−−
図７（ｂ）、（ｄ）に示すように、すべての記憶装置の重複記憶領域に最小必要空き容量がなくなった場合であって、すべての記憶装置で非重複記憶領域に最小必要空き容量が残っている場合も、第１の実施の形態と同様である。ストレージャ２００，３００における画像データの処理は、第１の実施の形態のストレージャ２００における画像データの処理と同じであるため、説明を省略する。
【００８７】
図７（ｂ）に示す場合には、すべての記憶装置で重複保存対象データとして重複して格納されているＰｈｏｔｏ１およびＰｈｏｔｏ２の画像データのうち、先に撮像されたＰｈｏｔｏ１の画像データの保存属性が非重複保存対象に変更される（図７（ｃ））。この保存属性の変更により、すべての記憶装置のそれぞれの重複記憶領域に最小必要空き容量が確保される。この段階では、Ｐｈｏｔｏ１，Ｐｈｏｔｏ２の画像データがすべての記憶装置で重複して格納されている。
【００８８】
同様に、図７（ｄ）に示す場合には、すべての記憶装置で重複保存対象データとして重複して格納されているＰｈｏｔｏ２およびＰｈｏｔｏ３の画像データのうち、先に撮像されたＰｈｏｔｏ２の画像データの保存属性が非重複保存対象に変更される（図７（ｅ））。この保存属性の変更により、すべての記憶装置のそれぞれの重複記憶領域に最小必要空き容量が確保される。この段階では、Ｐｈｏｔｏ１〜Ｐｈｏｔｏ３の画像データがすべての記憶装置のそれぞれで重複して格納されている。
【００８９】
電子カメラ１００で新たに被写体像が撮像されると、電子カメラ１００の制御部１７は、この被写体像の画像データを重複保存対象データとしてメモリカード３０に格納するとともに、この画像データおよび保存属性をストレージャ２００，３００に提供する。ストレージャ２００，３００の制御部２０１，３０１は、電子カメラ１００から提供された画像データをその保存属性とともにハードディスク２０２，３０２に格納する。
【００９０】
たとえば、図７（ｃ）に示す状態でＰｈｏｔｏ３が撮像されると、Ｐｈｏｔｏ３の画像データがすべての記憶装置で重複して格納されて図７（ｄ）に示す状態となる。図７（ｅ）に示す状態でＰｈｏｔｏ４が撮像されると、Ｐｈｏｔｏ４の画像データがすべての記憶装置で重複して格納されて図７（ｆ）に示す状態となる。
【００９１】
−−−電子カメラ１００側で記憶領域に最小必要空き容量がなくなった場合−−−
図７（ｆ）に示すように、いずれか一つの記憶装置で記憶領域に最小必要空き容量がなくなり、他の記憶装置で記憶領域に最小必要空き容量が残っている場合について説明する。以下の説明では、説明の便宜上、各記憶装置の記憶容量の大小の関係が、メモリカード３０の記憶容量＜ハードディスク２０２の記憶容量＜ハードディスク３０２の記憶容量、となっている場合について説明する。
【００９２】
電子カメラ１００側で記憶領域に最小必要空き容量がなくなり、ストレージャ２００，３００側で記憶領域に最小必要空き容量が残っている場合には、第１の実施の形態と同様に、重複記憶領域に最小必要空き容量を確保する。ストレージャ２００，３００における画像データの処理は、第１の実施の形態のストレージャ２００における画像データの処理と同じであるため、説明を省略する。
【００９３】
たとえば、図７（ｆ）に示す状態で、すべての記憶装置で重複保存対象データとして格納されているＰｈｏｔｏ３およびＰｈｏｔｏ４の画像データのうち、先に撮像されたＰｈｏｔｏ３の画像データの保存属性が非重複保存対象に変更される。
【００９４】
そして、電子カメラ１００側で格納している非重複保存対象データであるＰｈｏｔｏ１〜Ｐｈｏｔｏ３の画像データうち、ストレージャ２００，３００側と重複して格納している画像データであって先に撮像されたＰｈｏｔｏ１の画像データを電子カメラ１００側から削除する。これにより、図７（ｇ）に示すように、電子カメラ１００側およびストレージャ２００，３００側のそれぞれの重複記憶領域に最小必要空き容量が確保される。
【００９５】
−−−電子カメラ１００側およびストレージャ２００側で記憶領域に最小必要空き容量がなくなった場合−−−
図７（ｈ）に示すように、電子カメラ１００側およびストレージャ２００側で記憶領域に最小必要空き容量がなくなり、ストレージャ３００側で記憶領域に最小必要空き容量が残っている場合について説明する。この場合も、上述と同様に、格納されている重複保存対象データのうち、撮影日時が古い画像データから順に、すべての記憶装置で最小必要空き容量に相当する容量分の画像データの保存属性を非重複保存対象に変更する。この保存属性の変更は、電子カメラ１００側およびストレージャ２００，３００側でそれぞれの重複記憶領域に最小必要空き容量が確保されるまで行われる。
【００９６】
そして、非重複保存対象データのうち、電子カメラ１００側またはストレージャ２００側のいずれか一方で当該画像データを削除しても、いずれか他方または／およびストレージャ３００側に同じ画像データが残ることになる画像データを、電子カメラ１００側またはストレージャ２００側のいずれか一方から削除する。非重複保存対象データのうち、電子カメラ１００側またはストレージャ２００側のいずれか一方の非重複記憶領域にだけ、重複されることなく残っている画像データは削除の対象外となる。
【００９７】
この画像データの削除の際に、電子カメラ１００側またはストレージャ２００側で、非重複記憶領域の空き容量（この場合には最小必要空き容量未満）が少ない方から先に削除するようにしてもよい。この画像データの削除は、撮影日時が古い画像データから順に削除することとし、電子カメラ１００側およびストレージャ２００側のいずれか一方で、記憶領域に最小必要空き容量が確保されるまで行われる。これにより、電子カメラ１００側およびストレージャ２００側のいずれか一方で生じた記憶領域の空き容量が、重複記憶領域に最小必要空き容量以上の空き容量として確保される。
【００９８】
次いで、電子カメラ１００側またはストレージャ２００側のいずれか他方で当該画像データを削除しても、いずれか一方または／およびストレージャ３００側に同じ画像データが残ることになる画像データを、電子カメラ１００側またはストレージャ２００側のいずれか他方から削除する。非重複保存対象データのうち、電子カメラ１００側またはストレージャ２００側のいずれか他方の非重複記憶領域にだけ、重複されることなく残っている画像データは削除の対象外となる。
【００９９】
この画像データの削除は、撮影日時が古い画像データから順に削除することとし、電子カメラ１００側およびストレージャ２００側のいずれか他方で、記憶領域に最小必要空き容量が確保されるまで行われる。これにより、電子カメラ１００側およびストレージャ２００側のいずれか他方で生じた記憶領域の空き容量が、重複記憶領域に最小必要空き容量以上の空き容量として確保される。
【０１００】
このようにすることで、上述の場合と同様に、すべての記憶装置の重複記憶領域に最小必要空き容量を確保することができる。また、非重複保存対象データは、少なくともいずれかの記憶装置に格納されていることとなる。
【０１０１】
たとえば、図７（ｈ）に示す状態で、すべての記憶装置で重複保存対象データとして格納されているＰｈｏｔｏ４およびＰｈｏｔｏ５の画像データのうち、先に撮像されたＰｈｏｔｏ４の画像データの保存属性が非重複保存対象に変更される。
【０１０２】
そして、非重複保存対象データのうち、電子カメラ１００側またはストレージャ２００側のいずれか一方で当該画像データを削除しても、いずれか他方または／およびストレージャ３００側に同じ画像データが残ることになる画像データＰｈｏｔｏ１〜Ｐｈｏｔｏ４のうち、古い画像データを、電子カメラ１００側またはストレージャ２００側のいずれか一方の非重複記憶領域から削除する。図８（ａ）の例では、電子カメラ１００側で最も古いＰｈｏｔｏ２の画像データを削除している。これにより、電子カメラ１００側で記憶領域に空き容量が生じ、この空き容量を重複記憶領域の最小必要空き容量以上の空き容量として確保できる。
【０１０３】
次に、非重複保存対象データのうち、電子カメラ１００側またはストレージャ２００側のいずれか他方で当該画像データを削除しても、いずれか一方または／およびストレージャ３００側に同じ画像データが残ることになる画像データＰｈｏｔｏ１〜Ｐｈｏｔｏ４のうち、古い画像データを、電子カメラ１００側またはストレージャ２００側のいずれか他方、すなわちストレージャ２００側の非重複記憶領域から削除する。図８（ａ）の例では、ストレージャ２００側で最も古いＰｈｏｔｏ１の画像データをストレージャ２００側から削除している。これにより、ストレージャ２００側で記憶領域に空き容量が生じ、この空き容量を重複記憶領域の最小必要空き容量以上の空き容量として確保できる。
【０１０４】
−−−すべての記憶装置で記憶領域に最小必要空き容量がなくなった場合−−−
図８（ｂ）に示すように、すべての記憶装置で記憶領域に最小必要空き容量がなくなった場合について説明する。この場合も、上述と同様に、格納されている重複保存対象データのうち、撮影日時が古い画像データから順に、すべての記憶装置で最小必要空き容量に相当する容量分の画像データの保存属性を非重複保存対象に変更する。この保存属性の変更は、保存属性を変更する画像データの容量の和が最小必要空き容量以上となるまで行われる。
【０１０５】
そして、非重複保存対象データのうち、ある１つの記憶装置（以下、削除対象記憶装置と呼ぶ）で当該画像データを削除しても、少なくとも他の記憶装置（以下、削除対象外記憶装置と呼ぶ）の１つに同じ画像データが残ることになる画像データを、削除対象記憶装置から削除する。非重複保存対象データのうち、削除対象記憶装置にだけ残っている画像データは削除の対象外となる。
【０１０６】
この画像データの削除は、撮影日時が古い画像データから順に削除することとし、削除対象記憶装置の記憶領域に最小必要空き容量が確保されるまで行われる。これにより、削除対象記憶装置に生じた記憶領域の空き容量が重複記憶領域の最小必要空き容量以上の空き容量として確保される。
【０１０７】
この削除対象記憶装置における画像データの削除と同様の処理を、他の記憶装置についても行うことで、すべての記憶装置について、重複記憶領域に最小必要空き容量を確保することができる。なお、この画像データの削除処理は、空き容量（この場合には最小必要空き容量未満の空き容量）が少ない記憶装置から順に行うようにしてもよい。
【０１０８】
たとえば、図８（ｂ）に示す状態の場合には、すべての記憶装置で重複保存対象データとして格納されているＰｈｏｔｏ５およびＰｈｏｔｏ６の画像データのうち、先に撮像されたＰｈｏｔｏ５の画像データの保存属性が非重複保存対象に変更される。
【０１０９】
そして、非重複保存対象データであって、たとえば電子カメラ１００側に格納された当該画像データを削除しても、フォトストレージャ２００，３００側の少なくともいずれか一方に同じ画像データが残ることになる画像データ（Ｐｈｏｔｏ３〜Ｐｈｏｔｏ５）のうち、最も古い画像データ（Ｐｈｏｔｏ３）を、電子カメラ１００側から削除する（図８（ｃ））。これにより、電子カメラ１００側で記憶領域に空き容量が生じ、この空き容量を重複記憶領域の最小必要空き容量以上の空き容量として確保できる。
【０１１０】
同様に、非重複保存対象データの削除をフォトストレージャ２００，３００についても実施する。非重複保存対象データであって、たとえばフォトストレージャ２００側に格納された当該画像データを削除しても、電子カメラ１００側またはフォトストレージャ３００側の少なくともいずれか一方に同じ画像データが残ることになる画像データ（Ｐｈｏｔｏ２〜Ｐｈｏｔｏ５）のうち、最も古い画像データ（Ｐｈｏｔｏ２）を、フォトストレージャ２００側から削除する。
【０１１１】
そして、フォトストレージャ３００側に格納された当該画像データを削除しても、電子カメラ１００側またはフォトストレージャ２００側の少なくともいずれか一方に同じ画像データが残ることになる画像データ（Ｐｈｏｔｏ３〜Ｐｈｏｔｏ５）のうち、最も古い画像データ（Ｐｈｏｔｏ３）を、フォトストレージャ３００側から削除する。これにより、図８（ｃ）に示すように、すべての記憶装置について、重複記憶領域に最小必要空き容量を確保することができる。
【０１１２】
なお、図８（ｃ）から図８（ｈ）に至るまでの画像データの処理、および、図８（ｈ）から図９（ｄ）に至るまでの画像データの処理についても同様であるため、説明を省略する。
【０１１３】
なお、重複記憶領域に最小必要空き容量がなくなった場合であって、少なくともいずれか一つの記憶装置において、次の条件のいずれにも該当することとなると、電子カメラ１００での撮像が禁止される。当該記憶装置において重複記憶領域に最小必要空き容量を確保することができなくなるため、電子カメラ１００で新たに被写体像が撮像されても、この被写体像の画像データをすべての記憶装置で重複して格納できないからである。
（１）  非重複記憶領域に最小必要空き容量がなくなる。
（２）  非重複保存対象データのうち、他の記憶装置と重複して格納している画像データ（すなわち削除可能な画像データ）がなくなる。
【０１１４】
図９（ｄ）に示した状態は、すべての記憶装置の重複記憶領域に最小必要空き容量がなくなり、かつ、すべての記憶装置の非重複記憶領域に最小必要空き容量がなくなり、かつ、非重複保存対象データのうち、削除可能な画像データがなくなった場合を示している。
【０１１５】
−−−電子カメラ１００に関するフローチャート−−−
上述した処理を行うために電子カメラ１００の制御部１７で行われる処理は、第１の実施の形態と同じであるので詳細な説明を省略する。なお、本実施の形態のカメラシステムでは、電子カメラ１００の制御部１７は、図４のステップＳ３５において、ステップＳ３１で撮像された画像データを重複保存対象データとしてすべての外部記憶装置に提供する。
【０１１６】
−−−ストレージャ２００，３００に関するフローチャート−−−
ストレージャ２００，３００の制御部２０１、３０１でそれぞれ行われる処理は、第１の実施の形態のストレージャ２００の制御部２０１で行われる処理と同じであるので詳細な説明を省略する。
【０１１７】
上述した第２の実施の形態のカメラシステムでは、第１の実施の形態の作用効果に加えて、次の作用効果を奏する。
（１）  電子カメラ１００に２台のストレージャ２００，３００を接続し、撮影日時が新しい画像データは、すべての記憶装置で重複して格納し、撮影日時が古い画像データは、いずれか一つの記憶装置で格納するように構成した。これにより、確実に保存したい、最近撮像した画像データを３重化して保存できるので、データ保存の信頼性がさらに向上する。ある程度古い画像データは、重複させずに保存できるので、メモリカード３０およびハードディスク２０２，３０２の記憶容量を有効に活用できる。また、電子カメラ１００に接続できるストレージャの台数が増えるので、より多くの画像データを保存できる。
【０１１８】
−−−第３の実施の形態−−−
図１０〜１２を参照して、本発明によるカメラシステムの第３の実施の形態を説明する。以下の説明では、第１の実施の形態と同じ構成要素には同じ符号を付して相違点を主に説明する。特に説明しない点については、第１の実施の形態と同じである。第３の実施の形態のカメラシステムでは、重複保存対象データとして重複して記憶しておく期間を指定する。
【０１１９】
図１０に示すように、本実施の形態のカメラシステムでは、各記憶装置で重複して保存する日数を電子カメラ１００から設定可能である。たとえば、各記憶装置で重複して保存する日数を１日として設定すると、最も記憶容量の小さい記憶装置の記憶容量を上限として、撮像日当日の画像データはすべての記憶装置で重複して格納される。
【０１２０】
このように重複記憶容量が設定されるカメラシステムで、被写体像を撮像したときの画像データの処理について図１１（ａ）〜（ｎ）を参照して説明する。なお、以下の説明では、各記憶装置で重複して保存する日数（以下、重複保存日数と呼ぶ）が１日として設定されているものとする。また、説明の便宜上、ハードディスク２０２は、メモリカード３０よりも１フレーム分以上多くの画像データを格納できるものとする。すなわち、ハードディスク２０２の記憶容量は、メモリカード３０の記憶容量よりも最小必要空き容量分以上大きいものとする。
【０１２１】
図１１（ａ）に示すように、９月１日にＰｈｏｔｏ１（Ｐｈｏｔｏ９／１−１）が撮像されると、Ｐｈｏｔｏ９／１−１の画像データが重複保存対象データとして電子カメラ１００側（メモリカード３０）およびストレージャ２００側（ハードディスク２０２）のそれぞれの記憶領域に重複して格納され、図１１（ｂ）に示すように、９月１日にＰｈｏｔｏ２（Ｐｈｏｔｏ９／１−２）が撮像されると、Ｐｈｏｔｏ９／１−２の画像データが重複保存対象データとして電子カメラ１００側（メモリカード３０）およびストレージャ２００側（ハードディスク２０２）のそれぞれの記憶領域に重複して格納される。同様にして、９月１日には電子カメラ１００側（メモリカード３０）の記憶容量一杯まで（空き容量が最小必要空き容量未満となるまで）撮像可能である（図１１（ｃ）〜（ｆ））。
【０１２２】
図１１（ｆ）に示すように、９月１日に電子カメラ１００側の記憶容量一杯まで撮像されると、９月１日の時点では９月１日に撮像した被写体像の画像データは、重複保存対象データであるため、電子カメラ１００側から削除できない。したがって、９月１日の時点では、これ以上撮像できないため、撮像が禁止される。なお、この時点では、ストレージャ２００側には最小必要空き容量が確保されている。
【０１２３】
翌９月２日になると、９月１日に撮像した被写体像の画像データは、非重複保存対象データとして設定される。その結果、電子カメラ１００側で格納している９月１日に撮像した被写体像の画像データのうち、他の記憶装置と重複して格納されている画像データは、電子カメラ１００側から削除可能となる。そこで、電子カメラ１００側で格納している９月１日以前に撮像した被写体像の画像データ（非重複保存対象データ）のうち、各記憶装置に重複して格納されている画像データであって、最も古い画像データ（Ｐｈｏｔｏ９／１−１）が電子カメラ１００側から削除されて、電子カメラ１００側で最小必要空き容量が確保される（図１１（ｇ））。
【０１２４】
９月２日にＰｈｏｔｏ１（Ｐｈｏｔｏ９／２−１）が撮像されると、図１１（ｈ）に示すように、Ｐｈｏｔｏ９／２−１の画像データが重複保存対象データとして電子カメラ１００側およびストレージャ２００側のそれぞれの記憶領域に重複して格納される。その後、電子カメラ１００側で格納している９月１日以前に撮像した被写体像の画像データのうち、各記憶装置に重複して格納されている非重複保存対象データであって、最も古い画像データ（Ｐｈｏｔｏ９／１−２）が電子カメラ１００側から削除されて、電子カメラ１００側で最小必要空き容量が確保される（図１１（ｉ））。
【０１２５】
同様に、ストレージャ２００側で格納している９月１日以前に撮像した被写体像の画像データのうち、各記憶装置に重複して格納されている非重複保存対象データであって、最も古い画像データ（Ｐｈｏｔｏ９／１−３）がストレージャ２００側から削除されて、ストレージャ２００側で最小必要空き容量が確保される（図１１（ｉ））。
【０１２６】
なお、Ｐｈｏｔｏ９／２−１が撮像された後に非重複保存対象データを削除する際、先に電子カメラ１００側で格納している非重複保存対象データを削除しているが、ストレージャ２００側で格納している非重複保存対象データから先に削除するようにしてもよい。また、空き容量（この場合は最小必要空き容量未満の空き容量）の小さい記憶装置から先に非重複保存対象データを削除するようにしてもよい。以下、同様である。
【０１２７】
９月２日にＰｈｏｔｏ２（Ｐｈｏｔｏ９／２−２）が撮像されると、図１１（ｊ）に示すように、Ｐｈｏｔｏ９／２−２の画像データが重複保存対象データとして電子カメラ１００側およびストレージャ２００側のそれぞれの記憶領域に重複して格納される。９月２日の時点では、各記憶装置に重複して格納されている非重複保存対象データはＰｈｏｔｏ９／１−４の画像データ１つだけであるので、電子カメラ１００側またはストレージャ２００側のいずれか一方に格納されているＰｈｏｔｏ９／１−４の画像データしか削除できない。そのため、電子カメラ１００側またはストレージャ２００側のいずれか一方では最小必要空き容量を確保できるが、他方では最小必要空き容量を確保できない。
【０１２８】
すなわち、図１１（ｊ）に示す状態となると、９月２日の時点では、新たに被写体像が撮像されても、その被写体像の画像データを電子カメラ１００側およびストレージャ２００側のそれぞれで重複して格納することができない。したがって、９月２日の時点では、これ以上撮像、記憶できないため、新たな撮像、または新たな記憶が禁止される。
【０１２９】
翌９月３日になると、９月２日に撮像した被写体像の画像データは、非重複保存対象データとして設定される。その結果、電子カメラ１００側で格納している９月２日以前に撮像した被写体像の画像データのうち、各記憶装置に重複して格納されている画像データは、電子カメラ１００側またはストレージャ２００側のいずれか一方から削除可能となる。そこで、電子カメラ１００側で格納している非重複保存対象データのうち、各記憶装置に重複して格納されている画像データであって、最も古い画像データ（Ｐｈｏｔｏ９／１−４）が電子カメラ１００側から削除されて、電子カメラ側で最小必要空き容量が確保される（図１１（ｋ））。
【０１３０】
同様に、ストレージャ２００側で格納している非重複保存対象データのうち、各記憶装置に重複して格納されている画像データであって、最も古い画像データ（Ｐｈｏｔｏ９／２−１）がストレージャ２００側から削除されて、ストレージャ２００側で最小必要空き容量が確保される（図１１（ｋ））。
【０１３１】
９月３日にＰｈｏｔｏ１（Ｐｈｏｔｏ９／３−１）が撮像されると、図１１（ｌ）に示すように、Ｐｈｏｔｏ９／３−１の画像データが重複保存対象データとして電子カメラ１００側およびストレージャ２００側のそれぞれの記憶領域に重複して格納される。９月３日の時点では、各記憶装置に重複して格納されている非重複保存対象データはＰｈｏｔｏ９／２−２の画像データ１つだけであるので、電子カメラ１００側またはストレージャ２００側のいずれか一方に格納されているＰｈｏｔｏ９／２−２の画像データしか削除できない。そのため、電子カメラ１００側またはストレージャ２００側のいずれか一方で最小必要空き容量を確保できるが、他方では最小必要空き容量を確保できない。
【０１３２】
すなわち、図１１（ｌ）に示す状態となると、９月３日の時点では、新たに被写体像が撮像されても、その被写体像の画像データを電子カメラ１００側およびストレージャ２００側のそれぞれで重複して格納することができない。したがって、９月３日の時点では、これ以上撮像、記憶できないため、新たな撮像、または新たな記憶が禁止される。
【０１３３】
翌９月４日になると、９月３日に撮像した被写体像の画像データは、非重複保存対象データとして設定される。その結果、電子カメラ１００側で格納している９月３日以前に撮像した被写体像の画像データのうち、各記憶装置に重複して格納されている画像データは、電子カメラ１００側またはストレージャ２００側のいずれか一方から削除可能となる。そこで、電子カメラ１００側で格納している非重複保存対象データのうち、各記憶装置に重複して格納されている画像データであって、最も古い画像データ（Ｐｈｏｔｏ９／2−２）が電子カメラ１００側から削除されて、電子カメラ側で最小必要空き容量が確保される（図１１（ｍ））。
【０１３４】
同様に、ストレージャ２００側で格納している非重複保存対象データのうち、各記憶装置に重複して格納されている画像データであって、最も古い画像データ（Ｐｈｏｔｏ９／３−１）がストレージャ２００側から削除されて、ストレージャ２００側で最小必要空き容量が確保される（図１１（ｍ））。
【０１３５】
９月４日にＰｈｏｔｏ１（Ｐｈｏｔｏ９／４−１）が撮像されると、図１１（ｎ）に示すように、Ｐｈｏｔｏ９／４−１の画像データが重複保存対象データとして電子カメラ１００側およびストレージャ２００側のそれぞれの記憶領域に重複して格納される。９月４日の時点では、各記憶装置に重複して格納されている非重複保存対象データは１つもないので、電子カメラ１００側およびストレージャ２００側の双方で最小必要空き容量を確保できない。
【０１３６】
なお、図１１（ｎ）に示す状態となると、翌９月５日以降となっても、各記憶装置に重複して格納されている非重複保存対象データはＰｈｏｔｏ９／４−１の画像データ１つだけであるので、電子カメラ１００側またはストレージャ２００側のいずれか一方に格納されているＰｈｏｔｏ９／４−１の画像データしか削除できない。そのため、電子カメラ１００側またはストレージャ２００側のいずれか一方では最小必要空き容量を確保できるが、他方では最小必要空き容量を確保できない。
【０１３７】
すなわち、図１１（ｎ）に示す状態となると、日付が変わっても、新たな被写体像の画像データを電子カメラ１００側およびストレージャ２００側のそれぞれで重複して格納することができない。したがって、これ以上撮像、記憶できないため、新たな撮像、または新たな記憶が禁止される。
【０１３８】
−−−電子カメラ１００に関するフローチャート−−−
上述した処理を行うために電子カメラ１００の制御部１７で行われる処理は、第１の実施の形態と同じであるので詳細な説明を省略する。なお、本実施の形態のステップＳ５では、記憶装置の記憶領域に最低必要空き容量が残っていれば、この空き容量が、重複保存対象データが重複して保存される領域（すなわち重複記憶領域）の空き容量となるため、すべての記憶装置の記憶領域に最低必要空き容量が残っていれば肯定判断されるものとする。また、本実施の形態のステップＳ１１では、撮像日から重複保存日数が経過している画像データを非重複保存対象データに変更可能な画像データとして扱う。
【０１３９】
−−−ストレージャ２００に関するフローチャート−−−
ストレージャ２００の制御部２０１で行われる処理について、図１２のフローチャートを参照して説明する。図１２のフローチャートによるプログラムは、電子カメラ１００と接続されて、不図示の電源スイッチがオンされると起動する。
【０１４０】
ステップＳ６１において、ハードディスク２０２に格納している重複保存対象データのうち、非重複保存対象データに変更可能な画像データがあるか否かを確認する。なお、本実施の形態のステップＳ６１では、撮像日から重複保存日数が経過している画像データを非重複保存対象データに変更可能な画像データとして扱う。
【０１４１】
ステップＳ６１が実行されるとステップＳ６３へ進む。ステップＳ６３は、第１の実施の形態における図５のステップＳ６３と同じであるので、説明を省略する。ステップＳ６３が実行されるとステップＳ１６５へ進む。ステップＳ１６５において、重複保存対象データのうち撮像日から重複保存日数が経過している画像データを非重複保存対象データに変更する指示を電子カメラ１００側から受けたか否かを判断する。ステップＳ１６５が肯定判断されると、ステップＳ１６７へ進み、重複保存対象データのうち撮像日から重複保存日数が経過している画像データを非重複保存対象データに変更し、その旨を電子カメラ１００側に通知する。
【０１４２】
ステップＳ１６７が実行されるかステップＳ１６５が否定判断されるとステップＳ６９へ進む。ステップＳ６９以降のステップについては、第１の実施の形態における図５のステップＳ６９以降と同じであるので、説明を省略する。
【０１４３】
上述した第３の実施の形態のカメラシステムでは、第１および第２の実施の形態の作用効果に加えて、次の作用効果を奏する。
（１）  重複保存日数経過前の画像データを各記憶装置の記憶領域に重複保存対象データとして重複して保存（記憶、格納）し、重複保存日数経過後の画像データを少なくとも各記憶装置のいずれか１つの記憶領域に非重複保存対象データとして保存（記憶、格納）するように構成した。これにより、画像データの重複保存の要不要を撮像日からの経過日数で設定できる。たとえば、他の外部機器に画像データをバックアップするまでの間、重複保存日数経過前の画像データを確実に重複保存できる。重複して保存すべき画像データを容量で設定する場合と比べて、撮像日からの経過日数で設定する方が、過去に撮像したどの画像データまでを確実に重複保存できるか、ということが撮影者に容易にわかるので、利便性が高く、設定も容易である。
【０１４４】
上記第３の実施の形態においては、画像データを重複して格納する期間として、たとえば１日を指定した場合の動作について説明した。期間の入力は、たとえば「２００５年８月２２日０：００〜２３：５９」のように設定するものであっても構わない。この場合には、指定した期間（１日。すなわち、たとえば２００５年８月２２日の０：００〜同日の２３：５９）内に、入力された画像データは、当該指定された期間内は重複保存対象データとして重複格納される。これに代えて、撮像素子によって撮像された被写体像のデータを、重複保存対象データとして、撮像時からの重複して格納する期間（撮影時からの経過時間）を指定するように構成してもよい。すなわち、画像データを重複して格納する期間を、たとえば１日として指定して、重複格納しておく期間を、撮像素子により順次撮像された画像データの各々の撮像時点から１日（２４時間）とする構成としてもよい。この場合も上記の図１１，１２で説明した動作と同様の動作が行われる。
【０１４５】
−−−変形例−−−
（１）  上述の説明では、重複記憶容量の設定を電子カメラ１００で行い、その設定内容を、電子カメラ１００に接続されたストレージャ２００，３００へ反映させるように構成したが、本発明はこれに限定されない。たとえば、ストレージャで重複記憶容量を設定して、その設定内容が接続された電子カメラ１００に反映されるように構成してもよい。また、図４で示すような電子カメラ１００の制御部１７で行われる処理をストレージャ２００，３００のいずれかの制御部２０１，３０１で行われるようにしてもよい。この場合、図５，１２に示すようなストレージャ２００，３００のいずれかの制御部２０１，３０１で行われる処理を電子カメラ１００の制御部１７で行われるようにすればよい。
【０１４６】
（２）  上述の説明では、画像データの保存に用いられるデバイスは、メモリカード３０では半導体メモリであり、ストレージャ２００，３００ではハードディスク２０２，２０３であるが、本発明はこれに限定されない。メモリカード３０やストレージャ２００，３００で画像データの保存に用いられるデバイスには、半導体メモリやハードディスクの他にも電気的、磁気的な方法による各種の記録媒体を用いることができる。また、ストレージャ２００，３００は、メモリカード３０と同様な電子カメラ１００に着脱可能な記録媒体であってもよい。さらには、メモリカード３０あるいはストレージャ２００，３００は、電子カメラ１００内に固定的に内蔵される記録媒体であってもよい。
【０１４７】
（３）  上述の説明では、被写体像が撮像されると、被写体像の画像データおよび保存属性をメモリカード３０に格納するとともに、この画像データおよび保存属性をストレージャ２００に提供するように構成しているが、本発明はこれに限定されない。画像データと保存属性とを先にメモリカード３０に格納した後、電気的に接続されているストレージャ２００に画像データを送ってもよく、メモリカード３０に格納した画像データと保存属性とを再び読み出して、ストレージャ２００に送り、上述の処理を順次行う構成としてもよい。また、画像データと保存属性とを先にメモリカード３０に格納した後に、新たにストレージャ２００が接続された場合についても同様に適用することができる。結果として、メモリカード３０とストレージャ２００の双方に重複して画像データと保存属性とが格納されていればよい。
【０１４８】
（４）  上述の説明では、メモリカード３０の記憶容量がストレージャ２００の記憶容量よりも少ないものとして説明しているが、本発明はこれに限定されない。メモリカード３０の記憶容量とストレージャ２００の記憶容量とが同じでもよく、メモリカード３０の記憶容量がストレージャ２００の記憶容量よりも多くてもよい。またストレージャ２００の記憶容量とストレージャ３００の記憶容量とについても同様である。
【０１４９】
（５）  上述の説明では、ストレージャ２００は、撮像開始間前から電子カメラ１００に接続されているが、本発明はこれに限定されない。たとえば、ストレージャ２００を接続せずに電子カメラ１００だけで撮像し、その後、電子カメラ１００にストレージャ２００が接続されると、電子カメラ１００側に格納されている画像データと保存属性とが読み出されて、ストレージャ２００に重複保存するようにしてもよい。さらにストレージャ３００を追加して接続した場合についても同様である。
【０１５０】
（６）  上述の説明では、撮像可能な撮像枚数を示す残コマ表示については特に言及していないが、電子カメラ１００側およびストレージャ２００側の空き容量や、各記憶装置で重複して格納している非重複保存対象データなどの情報から記録可能な残コマ数を算出して、電子カメラ１００のモニタ２１などに表示するようにしてもよい。
【０１５１】
（７）  上述の説明では、少なくともいずれか１つの記憶装置に非重複保存対象データがそのまま保存されるように構成しているが、本発明はこれに限定されない。たとえば、当該画像データが圧縮されずに保存されているのであれば、当該画像データを圧縮して、空き容量を増やすようにしてもよく、当該画像データが圧縮されて保存されているのであれば、当該画像データの圧縮率をさらに上げて、空き容量を増やすようにしてもよい。
【０１５２】
（８）  上述の説明では、電子カメラ１００にストレージャを２台接続した場合には、重複保存対象データをストレージャ２００，３００のそれぞれで重複して保存しているが、本発明はこれに限定されない。たとえば、ストレージャ２００とストレージャ３００を合わせて１つのストレージャとみなして、第１の実施の形態と同様に、画像データを電子カメラ１００側とストレージャ側とで二重化するようにしてもよい。すなわち、一方のストレージャによって他方のストレージャの記憶容量を拡大したものとみなして、画像データを処理するようにしてもよい。
【０１５３】
（９）  上述の説明では、電子カメラ１００に接続されるストレージャの台数は１台または２台であったが、３台以上接続されるようにしてもよい。この場合、重複保存対象データをすべての記憶装置で重複して保存しなくてもよく、少なくとも２つの記憶装置で重複して保存するようにしてもよい。
【０１５４】
（１０）  上述の説明では、図４のステップＳ７，Ｓ９の実行によって、空き容量が最も少ない記憶装置を選択した後、その選択記憶装置について削除可能な非重複保存対象データを削除するようにしている（ステップＳ１７）。すなわち、各記憶装置に重複して格納されている非重複保存対象データを削除する際に、空き容量が最も小さい記憶装置に格納された非重複保存対象データを削除するように構成しているが、本発明はこれに限定されない。結果として、非重複保存対象データが少なくともいずれか１つの記憶装置に保存されるのであれば、非重複保存対象データの削除の対象となる記憶装置の選択順序は特に問わない。
【０１５５】
（１１）  上述の説明では、図３、図７〜９、図１１に示すように新たな撮像動作が行われる前に記憶領域に最小必要空き容量を確保する例について説明した。本発明はこれに限定されるものではなく、撮像動作が行われてから記憶領域に最小必要空き容量を確保する処理を行うものであってもよい。
（１２）  上述した各実施の形態および変形例は、それぞれ組み合わせてもよい。
【０１５６】
なお、以上の説明はあくまで一例であり、発明を解釈する際、上記の実施形態の記載事項と特許請求の範囲の記載事項の対応関係になんら限定も拘束もされない。
【図面の簡単な説明】
【０１５７】
【図１】第１の実施の形態のカメラシステムのブロック図である。
【図２】重複記憶容量の設定画面を示す図である。
【図３】画像データの処理について説明する図であり、撮像するにつれて変化する画像データの格納状況を（ａ）から（ｌ）まで順に示している。
【図４】電子カメラ１００の制御部１７で行われる処理を示したフローチャートである。
【図５】ストレージャ２００の制御部２０１で行われる処理を示したフローチャートである。
【図６】第２の実施の形態のカメラシステムのブロック図である。
【図７】第２の実施の形態の画像データの処理について説明する図であり、撮像するにつれて変化する画像データの格納状況を（ａ）から（ｈ）まで順に示している。
【図８】図７に続いて、画像データの処理について説明する図であり、撮像するにつれて変化する画像データの格納状況を（ａ）から（ｈ）まで順に示している。
【図９】図８に続いて、画像データの処理について説明する図であり、撮像するにつれて変化する画像データの格納状況を（ａ）から（ｄ）まで順に示している。
【図１０】第３の実施の形態のカメラシステムにおける、重複記憶容量の設定画面を示す図である。
【図１１】第３の実施の形態の画像データの処理について説明する図であり、撮像するにつれて変化する画像データの格納状況を（ａ）から（ｎ）まで順に示している。
【図１２】第３の実施の形態のストレージャ２００の制御部２０１で行われる処理を示したフローチャートである。
【符号の説明】
【０１５８】
８  撮像素子                            １７  制御部
２１  モニタ                            ３０  メモリカード
１００  カメラ                          ２００，３００  ストレージャ
２０１，３０１  制御部                  ２０２，３０２  ハードディスク
【図１】
2007074213.tif 000003
【図２】
2007074213.tif 000004
【図３】
2007074213.tif 000005
【図４】
2007074213.tif 000006
【図５】
2007074213.tif 000007
【図６】
2007074213.tif 000008
【図７】
2007074213.tif 000009
【図８】
2007074213.tif 000010
【図９】
2007074213.tif 000011
【図１０】
2007074213.tif 000012
【図１１】
2007074213.tif 000013
【図１２】
2007074213.tif 000014